(57)【特許請求の範囲】
【請求項１】
電子部品及び内部に冷却液体の循環経路を形成した放熱板を内蔵し、表面の一部に前記電子部品に電源を供給する第１の電源用接続端子を設け、かつこの第１の電源用接続端子と同一面に、前記放熱板に冷却液体を循環させる第１の冷却用接続端子を設け、各々独立に電源をオン・オフさせるスイッチを前面に設けた複数のシャーシ装置と、
少なくとも前面に開口を有し、複数のシャーシ装置の少なくとも前記第１の電源用接続端子及び前記第１の冷却用接続端子を設けた面を前記開口を介して前記複数のシャーシ装置を垂直方向に積層収容する筐体と、
この筐体内のシャーシ装置固定位置に設けられ、シャーシ装置収容時に、前記シャーシ装置の第１の電源用接続端子及び第１の冷却用接続端子に接続される第２の電源用接続端子及び第２の冷却用接続端子と、
前記複数のシャーシ装置をその一部が前記筐体の開口から突出した第１の状態から前記第１の電源用接続端子及び第１の冷却用接続端子が前記第２の電源用接続端子及び第２の冷却用接続端子に接続される第２の状態に案内する挿入案内部とを具備し、
前記第１の電源用接続端子及び前記第２の電源用接続端子のうちいずれか１つを浮動構造とし、前記第１の冷却用接続端子及び前記第２の冷却用接続端子のうちいずれか１つを浮動構造とするとともに、
前記第１の電源用接続端子、前記第１の冷却用接続端子、前記第２の電源用接続端子、及び前記第２の冷却用接続端子は、前記第２の電源用接続端子及び前記第２の冷却用接続端子が各々前記第１の電源用接続端子及び前記第１の冷却用接続端子に押し込まれると接続が固定され、前記第２の電源用接続端子及び前記第２の冷却用接続端子を抜き出すと接続が解除されることを特徴とする電子装置。
【請求項２】
前記請求項１に記載の筐体に着脱自在に収容されるシャーシ装置であって、
電子部品及び内部に冷却液体の循環経路を形成した放熱板を内蔵し、表面の一部に前記電子部品に電源を供給するための第１の電源用接続端子を設け、かつこの第１の電源用接続端子と同一面に、前記放熱板に冷却液体を循環させるための第１の冷却用接続端子を設け、
かつ筐体のシャーシ装置収容内部に第２の電源用接続端子及び第２の冷却用接続端子を固定的に設けている場合に、前記第１の電源用接続端子及び第１の冷却用接続端子を浮動構造とすることを特徴とするシャーシ装置。
【請求項３】
前記請求項１に記載のシャーシ装置を着脱自在に収容する筐体であって、
内部のシャーシ装置固定位置に設けられ、シャーシ装置収容時に、前記シャーシ装置の第１の電源用接続端子及び第１の冷却用接続端子に接続される第２の電源用接続端子及び第２の冷却用接続端子と、
前記複数のシャーシ装置をその一部が前記筐体の開口から突出した第１の状態から前記第１の電源用接続端子及び第１の冷却用接続端子が前記第２の電源用接続端子及び第２の冷却用接続端子に接続される第２の状態に案内する挿入案内部とを具備し、
前記シャーシ装置に設けられる前記第１の電源用接続端子及び第１の冷却用接続端子が固定である場合に、第２の電源用接続端子及び第２の冷却用接続端子を浮動構造とすることを特徴とする筐体。
【請求項４】
デジタル放送信号を送信する送信局に用いられる放送用送信装置であって、
放送すべき番組情報信号を前記デジタル放送信号に電力増幅する電力増幅器及び内部に冷却液体の循環経路を形成した放熱板を内蔵し、表面の一部に前記電力増幅器に電源を供給する第１の電源用接続端子、該電力増幅器に対し番組情報信号の入力、デジタル放送信号の出力を行う第１の信号入力端子、第１の信号出力端子を設け、かつこの第１の電源用接続端子、第１の信号入力端子及び第１の信号出力端子と同一面に、前記放熱板に冷却液体を循環させる第１の冷却用接続端子を設け、各々独立に電源をオン・オフさせるスイッチを前面に設けた複数のシャーシ装置と、
少なくとも前面に開口を有し、複数のシャーシ装置の少なくとも前記第１の電源用接続端子、第１の信号入力端子、第１の信号出力端子及び前記第１の冷却用接続端子を設けた面を前記開口を介して前記複数のシャーシ装置を垂直方向に積層収容する筐体と、
この筐体内のシャーシ装置固定位置に設けられ、シャーシ装置収容時に、前記シャーシ装置の第１の電源用接続端子、第１の信号入力端子、第１の信号出力端子及び第１の冷却用接続端子に接続される第２の電源用接続端子、第２の信号入力端子、第２の信号出力端子及び第２の冷却用接続端子と、
前記複数のシャーシ装置をその一部が前記筐体の開口から突出した第１の状態から前記第１の電源用接続端子、第１の信号入力端子、第１の信号出力端子及び第１の冷却用接続端子が前記第２の電源用接続端子、第２の信号入力端子、第２の信号出力端子及び第２の冷却用接続端子に接続される第２の状態に案内する挿入案内部とを具備し、
前記第１の電源用接続端子及び前記第２の電源用接続端子のうちいずれか１つを浮動構造とし、前記第１の信号入力端子及び前記第２の信号入力端子のうちいずれか１つを浮動構造とし、前記第１の信号出力端子及び前記第２の信号出力端子のうちいずれか１つを浮動構造とし、前記第１の冷却用接続端子及び前記第２の冷却用接続端子のうちいずれか１つを浮動構造とするとともに、
前記第１の電源用接続端子、前記第１の信号入力端子、前記第１の冷却用接続端子、前記第２の電源用接続端子、前記第２の信号出力端子及び前記第２の冷却用接続端子は、前記第２の電源用接続端子、前記第２の信号出力端子及び前記第２の冷却用接続端子が各々前記第１の電源用接続端子、前記第１の信号入力端子及び前記第１の冷却用接続端子に押し込まれると接続が固定され、前記第２の電源用接続端子、前記第２の信号出力端子及び前記第２の冷却用接続端子を抜き出すと接続が解除されることを特徴とする放送用送信装置。
【請求項５】
前記請求項４に記載の筐体に着脱自在に収容されるシャーシ装置であって、
放送すべき番組情報信号をデジタル放送信号に電力増幅する電力増幅器及び内部に冷却液体の循環経路を形成した放熱板を内蔵し、表面の一部に前記電子部品に電源を供給する第１の電源用接続端子、該電力増幅器に対し番組情報信号の入力、デジタル放送信号の出力を行う第１の信号入力端子、第１の信号出力端子を設け、かつこの第１の電源用接続端子、第１の信号入力端子及び第１の信号出力端子と同一面に、前記放熱板に冷却液体を循環させる第１の冷却用接続端子を設け、
かつ筐体のシャーシ装置収容内部に第２の電源用接続端子、第２の信号入力端子、第２の信号出力端子及び第２の冷却用接続端子を固定的に設けている場合に、前記第１の電源用接続端子、第１の信号入力端子、第１の信号出力端子及び第１の冷却用接続端子を浮動構造とすることを特徴とするシャーシ装置。
【請求項６】
前記請求項４に記載のシャーシ装置を着脱自在に収容する筐体であって、
内部のシャーシ装置固定位置に設けられ、シャーシ装置収容時に、前記シャーシ装置の第１の電源用接続端子、第１の信号入力端子、第１の信号出力端子及び第１の冷却用接続端子に接続される第２の電源用接続端子、第２の信号入力端子、第２の信号出力端子及び第２の冷却用接続端子と、
前記複数のシャーシ装置をその一部が前記筐体の開口から突出した第１の状態から前記第１の電源用接続端子、第１の信号入力端子、第１の信号出力端子及び第１の冷却用接続端子が前記第２の電源用接続端子、第２の信号入力端子、第２の信号出力端子及び第２の冷却用接続端子に接続される第２の状態に案内する挿入案内部とを具備し、
前記シャーシ装置に設けられる前記第１の電源用接続端子、第１の信号入力端子、第１の信号出力端子及び第１の冷却用接続端子が固定である場合に、第２の電源用接続端子、第２の信号入力端子、第２の信号出力端子及び第２の冷却用接続端子を浮動構造とすることを特徴とする筐体。
【発明の詳細な説明】
【０００１】
【発明の属する技術分野】
この発明は、例えば地上デジタル放送等の放送信号を送信する送信局に用いられる電子部品や電力増幅器に対し、効率良く放熱を行ないかつ効率良くメンテナンスを行うための電子装置及び放送用送信装置に関する。
【０００２】
【従来の技術】
従来より、アナログ放送局にあっては、番組情報信号を送信すべきアナログ放送波に電力増幅するアナログ放送用の送信装置が使用されている。
【０００３】
近年、デジタル放送が開始されており、その普及までにアナログ放送との共存が考えられている。この場合、１つの放送局内に、アナログ放送用の送信装置とデジタル放送用の送信装置とが併用されることになるため、両送信装置の小型化及び小スペース化が強く望まれている。
【０００４】
しかし、上記各送信装置は、その内部に複数の電力増幅器を並列に設けた構成であるため、小型化及び小スペース化を図ると、複数の電力増幅器間が狭まることになり、各電力増幅器に対する放熱が悪くなる。
【０００５】
そこで、従来の熱対策としては、電力増幅器に対し内部に液体を循環させるコールドプレートを設けた液冷方式を採用することが考えられる。
【０００６】
この液冷方式は、吸熱媒体として比熱の大きい液体を使用することにより、少ない体積で熱を運ぶ事が可能であり、それに伴い発熱部品と冷却媒体との接触面積を小さくすることが可能である。このことによって、送信装置自体の外形寸法を小型にできる。
【０００７】
ところで、上記デジタル放送用の送信装置では、万一運用中にある電力増幅器に障害が発生した場合でも、運用を停止することなく、障害が発生した電力増幅器のみ交換する必要がある。このため、電力増幅器としては簡単に送信装置本体からの着脱が可能な構造が求められている。
【０００８】
【発明が解決しようとする課題】
しかし、上記構成によるコールドプレート付き電力増幅モジュールでは、送信装置本体から着脱する際に、電力増幅器の電源受け部と送信装置側の電源供給部との位置ずれや、コールドプレートの液体受け部と送信装置側の液体供給部との位置ずれにより、電源供給や液体供給が確実に行われない場合や、液体漏れ等を発生させたり、また接続端子の破損等を起こしたりする恐れがある。このため、保守者は、電力増幅モジュールの装着を行う際に、送信装置本体の前面から電力増幅モジュールを挿入し、続いて送信装置本体の背後に回って接続端子同士の接続を行っていた。また、電力増幅モジュールの取り出しを行う際に、送信装置本体の背後から接続端子の取り外しを行い、続いて送信装置本体の前面から電力増幅モジュールを取り出していた。
【０００９】
よって、電力増幅モジュールの着脱に多くの時間がかかるとともに、多数の電力増幅モジュールに対する単純な繰り返し作業であるため、保守者の負担が大きかった。
【００１０】
そこで、この発明の目的は、簡単な構成で、例えば電力増幅器や冷却部材を筐体内に短時間で正確に装着または筐体内からの取り出しができるようにし、これによりメンテナンスの能率向上及び接続に関する信頼性の向上を図るとともに、保守者の負担を大幅に軽減し得る電子装置とそのシャーシ装置並びに筐体、及び放送用送信装置とそのシャーシ装置並びに筐体を提供することにある。
【００１１】
【課題を解決するための手段】
この発明は、上記目的を達成するために、以下のように構成される。
（１）電子部品及び内部に冷却液体の循環経路を形成した放熱板を内蔵し、表面の一部に電子部品に電源を供給する第１の電源用接続端子を設け、かつこの第１の電源用接続端子と同一面に、放熱板に冷却液体を循環させる第１の冷却用接続端子を設け、各々独立に電源をオン・オフさせるスイッチを前面に設けた複数のシャーシ装置と、少なくとも前面に開口を有し、複数のシャーシ装置の少なくとも第１の電源用接続端子及び第１の冷却用接続端子を設けた面を開口を介して複数のシャーシ装置を垂直方向に積層収容する筐体と、この筐体内のシャーシ装置固定位置に設けられ、シャーシ装置収容時に、シャーシ装置の第１の電源用接続端子及び第１の冷却用接続端子に接続される第２の電源用接続端子及び第２の冷却用接続端子と、複数のシャーシ装置をその一部が筐体の開口から突出した第１の状態から第１の電源用接続端子及び第１の冷却用接続端子が第２の電源用接続端子及び第２の冷却用接続端子に接続される第２の状態に案内する挿入案内部とを具備し、第１の電源用接続端子及び第２の電源用接続端子のうちいずれか１つを浮動構造とし、第１の冷却用接続端子及び第２の冷却用接続端子のうちいずれか１つを浮動構造とするとともに、第１の電源用接続端子、第１の冷却用接続端子、第２の電源用接続端子、及び第２の冷却用接続端子は、第２の電源用接続端子及び第２の冷却用接続端子が各々第１の電源用接続端子及び第１の冷却用接続端子に押し込まれると接続が固定され、第２の電源用接続端子及び第２の冷却用接続端子を抜き出すと接続が解除されるようにしたものである。
【００１２】
（１）の発明によれば、電子部品及び放熱板がシャーシ装置に内蔵されるとともに、電子部品に対し電源を供給するための第１の電源用接続端子及び放熱板に対し冷却媒体を循環させるための第１の冷却用接続端子を同一表面に露出させ、筐体に対しシャーシ装置の第１の電源用接続端子及び第１の冷却用接続端子を設けた面を収容するだけで、第１の電源用接続端子及び第１の冷却用接続端子がそれぞれ接続される第２の電源用接続端子及び第２の冷却用接続端子の位置へ挿入案内部により案内されることになる。そして、接続端子同士が接続される際に、いずれか一方が浮動構造を成すことで、破損を起こすことなく確実に接続されることになる。
【００１３】
従って、電子部品及び放熱板を内蔵したシャーシ装置を筐体内に短時間で正確に装着または筐体内からの取り出しができるようになり、これによりメンテナンスの能率向上及び接続に関する信頼性の向上を図るとともに、保守者の負担を大幅に軽減できる。また、万一、冷却用接続端子から冷却液が漏れてしまった場合にも、隣接する電子部品がシャーシ装置に内蔵される構成であるため、漏れた冷却液はシャーシ装置の表面にかかることになり、これにより漏れた冷却液が電子部品にかかることを防止できる。さらに、筐体のサイズを決める場合に、複数のシャーシ装置を筐体に収容した状態に基づいて、最小のサイズに設計することができる。
【００１４】
（２）デジタル放送信号を送信する送信局に用いられる放送用送信装置であって、放送すべき番組情報信号をデジタル放送信号に電力増幅する電力増幅器及び内部に冷却液体の循環経路を形成した放熱板を内蔵し、表面の一部に電力増幅器に電源を供給する第１の電源用接続端子、該電力増幅器に対し番組情報信号の入力、デジタル放送信号の出力を行う第１の信号入力端子、第１の信号出力端子を設け、かつこの第１の電源用接続端子、第１の信号入力端子及び第１の信号出力端子と同一面に、放熱板に冷却液体を循環させる第１の冷却用接続端子を設け、各々独立に電源をオン・オフさせるスイッチを前面に設けた複数のシャーシ装置と、少なくとも前面に開口を有し、複数のシャーシ装置の少なくとも第１の電源用接続端子、第１の信号入力端子、第１の信号出力端子及び第１の冷却用接続端子を設けた面を前記開口を介して複数のシャーシ装置を垂直方向に積層収容する筐体と、この筐体内のシャーシ装置固定位置に設けられ、シャーシ装置収容時に、シャーシ装置の第１の電源用接続端子、第１の信号入力端子、第１の信号出力端子及び第１の冷却用接続端子に接続される第２の電源用接続端子、第２の信号入力端子、第２の信号出力端子及び第２の冷却用接続端子と、複数のシャーシ装置をその一部が筐体の開口から突出した第１の状態から第１の電源用接続端子、第１の信号入力端子、第１の信号出力端子及び第１の冷却用接続端子が第２の電源用接続端子、第２の信号入力端子、第２の信号出力端子及び第２の冷却用接続端子に接続される第２の状態に案内する挿入案内部とを具備し、第１の電源用接続端子及び第２の電源用接続端子のうちいずれか１つを浮動構造とし、第１の信号入力端子及び第２の信号入力端子のうちいずれか１つを浮動構造とし、第１の信号出力端子及び第２の信号出力端子のうちいずれか１つを浮動構造とし、第１の冷却用接続端子及び第２の冷却用接続端子のうちいずれか１つを浮動構造とするとともに、第１の電源用接続端子、第１の信号入力端子、第１の冷却用接続端子、第２の電源用接続端子、第２の信号出力端子及び第２の冷却用接続端子は、第２の電源用接続端子、第２の信号出力端子及び第２の冷却用接続端子が各々第１の電源用接続端子、第１の信号入力端子及び第１の冷却用接続端子に押し込まれると接続が固定され、第２の電源用接続端子、第２の信号出力端子及び第２の冷却用接続端子を抜き出すと接続が解除されるようにしたものである。
【００１５】
（２）の発明においても、上記（１）の発明と同様の効果が得られる。
【００１６】
（３）上記（１）、（２）において浮動構造を成す電源用接続端子及び冷却用接続端子は、接続相手となる接続端子に完全に接続された状態で相手端子をロックし、抜き出しの際にロックを解除する構造を有することを特徴とする。
【００１７】
（３）によれば、接続に関する信頼性の向上を高めることができる。
【００１８】
【発明の実施の形態】
以下、この発明の実施形態について図面を参照して詳細に説明する。
【００１９】
図１は、この発明の放送用送信装置を電力増幅装置に適用したデジタル放送局内のシステムの要部構成を示すブロック図である。
【００２０】
このデジタル放送局は、同図に示すように、電力増幅装置１００と、アップコンバータ２００と、合成器３００と、帯域フィルタ（ＢＰＦ）４００と、アンテナ５００とを備えている。
【００２１】
デジタル放送局において、放送すべき番組情報信号は、アップコンバータ２００により無線周波数（ＲＦ）帯に周波数変換されて電力増幅モジュール１００内のｎ個の電力増幅モジュール１０１〜１０ｎにそれぞれ供給される。ｎ個の電力増幅器１０１〜１０ｎは、放送サービスエリアで要求される個数分備えられ、互いに並列に接続され、かつ互いに独立して電源のオン／オフ切替が可能であり、ＲＦ信号を同一利得で電力増幅した後、合成器３００に出力する。
【００２２】
電力増幅モジュール１０１〜１０ｎの各出力は、合成器３００で合成され、ＢＰＦ４００で不要波成分を除去された後、デジタル放送波としてアンテナ５００を介して送信される。
【００２３】
この発明の一実施形態は、図１における電力増幅装置１００に関するものである。
【００２４】
図２は、上記電力増幅装置１００の概略的構成を示す斜視図である。
【００２５】
図中符号１１０は略箱状の筐体で、その開口部に電力増幅器１０１〜１０ｎを内蔵したシャーシ装置１２１〜１２ｎ（図２中ではシャーシ装置１２１〜１２９のみ図示）がそれぞれ前後方向に着脱自在となるように収容されている。この筐体１１０の背面側には、電力増幅器１０１〜１０４に対し電源及びアップコンバータ２００からのＲＦ信号を供給するための信号入力端子と、電力増幅器１０１〜１０４で電力増幅した信号を出力するための信号出力端子とが設けられている。
【００２６】
また、筐体１１０内部には、左右側面にそれぞれ後述する複数のガイドレールが所定の配列で設けられている。
【００２７】
まず、ｎ個のシャーシ装置１２１〜１２ｎについて、シャーシ装置１２１を代表して説明する。
図３（ａ）はシャーシ装置１２１を前面から見た斜視図であり、図３（ｂ）はシャーシ装置１２１を上面から見た図である。
【００２８】
シャーシ装置１２１は、その左右側面にガイド溝１２１１，１２１２（図３中ではガイド溝１２１１のみ図示）を筐体１１０への挿入方向（図３中では矢印Ａ方向）に沿って形成しており、背面に電源供給用の接続端子１２１３、信号入力用の接続端子１２１４、信号出力用の接続端子１２１５、冷却液供給用の接続端子１２１６及び冷却液排出用の接続端子１２１７を設けている。
【００２９】
次に、シャーシ装置１２１内部について説明する。
すなわち、シャーシ装置１２１には、図４に示すように、電力増幅器１０１及びコールドプレート１５１が内蔵される。コールドプレート１５１には、その内部に冷却液を循環させるための液体循環経路１６１（図４中では鎖線で示す）がほぼ全面に渡り形成されている。この液体循環経路１６１には、筐体１１０側から供給される冷却液が循環されることになる。そして、コールドプレート１５１の上面には、電力増幅器１０１が載置されることになる。
【００３０】
次に、筐体１１０とシャーシ装置１２１との間の接続機構について説明する。
シャーシ装置１２１は、その接続端子１２１３〜１２１７を設けた面から筐体１１０の開口部に図５中矢印Ａ方向に挿入されると、まずその左右のガイド溝１２１１，１２１２がガイドレール１３１，１４１に係合する。そして、シャーシ装置１２１が開口部内に深く挿入されていくにつれて、ガイドレール１３１，１４１により、シャーシ装置１２１の接続端子１２１３〜１２１７が筐体１１０内に設けられた接続端子１１１３〜１１１７に近接する位置に案内される。
【００３１】
ここで、接続端子１１１３〜１１１７は、上下左右に揺れ動く浮動構造を成す。シャーシ装置１２１がさらに深く押し込まれると、接続端子１２１５が図６（ａ）の状態から図６（ｂ）の状態へ案内されて、その頭部が接続端子１１１５の凹部に接触される。このとき、接続端子１１１５は、浮動構造により揺れ動きながら接続端子１２１５の頭部を内部に案内し、しかる後に図６（ｃ）に示すごとく完全に接続端子１２１５と接続される。なお、接続端子１１１３と接続端子１２１３、接続端子１１１４と接続端子１２１４、接続端子１１１６と接続端子１２１６、接続端子１１１７と接続端子１２１７の接続手法についても、接続端子１１１５と接続端子１２１５の接続と同様に行なわれる。
【００３２】
また、接続端子１１１３〜１１１７は、完全接続時に、接続端子１２１３〜１２１７をロックして外れないようにし、シャーシ装置１２１を取り外す際に、ロックを解除する機能を有する。
【００３３】
次に、以上のように構成された電力増幅装置１００の動作につき説明する。  例えばシャーシ装置１２１が筐体１１０に収容された状態で、電力増幅装置１００が作動すると、接続端子１１１３，１２１３を介して電力増幅器１０１に電源が供給される。そして、電力増幅器１０１が発熱すると、この熱はコールドプレート１５１に伝達されることになる。
【００３４】
一方、電力増幅装置１００外に設置される図示しないラジエータから発生される冷却液は、接続端子１１１６，１２１６を介してコールドプレート１５１に供給される。この際、冷却液は、コールドプレート１５１の液体循環経路１６１に導かれ、電力増幅装置１００が作動されることにより電力増幅器１０１から発生する熱を奪って、接続端子１１１７，１２１７から排出される。従って、電力増幅器１０１から発生する熱が冷却液によって筐体１１０外に導かれ、以後、ラジエータによって熱交換され、再度コールドプレート１５１の液体循環経路１６１に戻される。
【００３５】
以上述べたように上記実施形態では、電力増幅器１０１及びコールドプレート１５１がシャーシ装置１２１に内蔵されるとともに、電力増幅器１０１に対し電源を供給するための接続端子１２１３、信号を入出力するための接続端子１２１４，１２１５及びコールドプレート１５１に対し冷却液を循環させるための接続端子１２１６，１２１７を同一表面に露出させるようにしている。そして、筐体１１０に対しシャーシ装置１２１の接続端子１２１３〜１２１７を設けた面を収容するだけで、その側面のガイド溝１２１１、１２１２がガイドレール１３１、１４１に係合されて、接続端子１２１３〜１２１７がそれぞれ接続される接続端子１１１３〜１１１７の位置へ案内されることになる。以後、接続端子１２１３〜１２１７が接続端子１１１３〜１１１７に接続される際に、接続端子１１１３〜１１１７が浮動構造を成すことで、破損を起こすことなく確実に接続されることになる。
【００３６】
従って、電力増幅器１０１及びコールドプレート１５１を内蔵したシャーシ装置１２１を筐体１１０内に短時間で正確に装着または筐体１１０内からの取り出しができるようになり、これによりメンテナンスの能率向上及び接続に関する信頼性の向上を図るとともに、保守者の負担を大幅に軽減できる。また、シャーシ装置１２１前面に電源をオン・オフさせるスイッチを設けるようにすれば、保守者は簡単な操作で電源を立ち上げることができる。
【００３７】
また、万一、冷却用の接続端子１１１６，１１１７，１２１６，１２１７から冷却液が漏れてしまった場合にも、隣接する電力増幅器１０２がシャーシ装置１２２に内蔵される構成であるため、漏れた冷却液はシャーシ装置１２２の表面にかかることになり、これにより漏れた冷却液が直接電力増幅器１０２にかかることを防止できる。
【００３８】
さらに、筐体１１０のサイズを決める場合に、複数のシャーシ装置１２１〜１２ｎを筐体１１０に収容した状態に基づいて、最小のサイズに設計することができる。このため、電力増幅装置１００を放送局内に用いることにより、アナログ放送とデジタル放送とが共存する場合に、アナログ放送用電力増幅装置の設置スペース以外に余分な設置スペースがあれば、その設置スペースにデジタル放送用の電力増幅装置１００を設置することが可能となる。よって、デジタル放送用に新たな設置スペースを設けるために、放送局内全体の改修工事を行わずに済み、設置投資も大幅に軽減される。
【００３９】
なお、この発明は上記実施形態に限定されるものではない。例えばシャーシ装置内にコールドプレートを設ける例について説明したが、空冷用のヒートシンクに代えてもよい。
【００４０】
また、筐体内に設けられた接続端子を浮動構造とした例について説明したが、シャーシ装置の背面に設けられた接続端子を浮動構造とするようにしてもよい。
【００４１】
さらに、この発明は、放送局内の電力増幅装置に適用される例について説明したが、例えば適正な動作温度内で駆動し、小型化が要求されるような電子装置にもこの発明を適用することが可能である。もちろん、この場合、電力増幅器以外の電子部品を使用するようにしてもよい。
【００４２】
その他、筐体の構成、コールドプレートの構成や種類、液体循環経路の構成、接続端子の構造や種類、ガイドレールの種類、接続方法等についても、この発明の要旨を逸脱しない範囲で種々変形して実施できる。
【００４３】
【発明の効果】
以上詳述したようにこの発明によれば、簡単な構成で、例えば電力増幅器や冷却部材を筐体内に短時間で正確に装着または筐体内からの取り出しができるようにし、これによりメンテナンスの能率向上及び接続に関する信頼性の向上を図るとともに、保守者の負担を大幅に軽減し得る電子装置とそのシャーシ装置並びに筐体、及び放送用送信装置とそのシャーシ装置並びに筐体を提供することができる。
【図面の簡単な説明】
【図１】この発明に係る放送用送信装置を電力増幅装置に適用したデジタル放送局内のシステムの要部構成を示すブロック図。
【図２】この発明の実施形態における電力増幅装置の概略的構成を示す斜視図。
【図３】同実施形態で取り扱うシャーシ装置の構成を示す斜視図。
【図４】図３に示したシャーシ装置内部の電力増幅器及びコールドプレートの配置構成を示す斜視図。
【図５】シャーシ装置が筐体内に収容される様子を示す平面図。
【図６】シャーシ装置が筐体内に収容される際の接続端子同士の接続の様子を示す図。
【符号の説明】
１００…電力増幅装置、
１０１〜１０ｎ…電力増幅器、
１１０…筐体、
１２１〜１２９…シャーシ装置、
１３１，１４１…ガイドレール、
１５１…コールドプレート、
１６１…液体循環経路、
１１１３〜１１１７…接続端子、
１２１１…ガイド溝、
１２１３〜１２１７…接続端子。
【図１】
0004256089.tif 000002
【図２】
0004256089.tif 000003
【図３】
0004256089.tif 000004
【図４】
0004256089.tif 000005
【図５】
0004256089.tif 000006
【図６】
0004256089.tif 000007